(57)【特許請求の範囲】
【請求項１】
回動軸を有し視野枠面と平行な面内で揺動するシーソ部材と、このシーソ部材の揺動を受けて、横長の標準視野と、この標準視野の左右の一部を遮光した幅狭視野と、上記標準視野の上下の一部を遮光した横長視野とに視野枠の大きさを切り換える可動の遮光部材とを備えたファインダ視野枠切換機構；
上記シーソ部材をその回動軸を中心に回動させる中心軸部と、この中心軸部からの径方向腕部とを備えた軸部材；
この軸部材は、その中心軸部を回動中心とする中立回動位置と、この中立回動位置からの正逆への回動位置を有し、中立回動位置で上記シーソ部材を介し視野枠切換機構は標準視野を形成し、正逆の回動位置で幅狭視野と横長視野とをそれぞれ形成すること；
上記軸部材を常時は中立回動位置に保持し、該軸部材が中立位置から正逆に回動したとき中立回動位置への復帰力を作用させる中立位置保持ばね；及び
上記軸部材の径方向腕部を挟む一対のばね端部を有する、外部から回動操作されるダイヤル部材；
を備え、
上記ダイヤル部材の一対のばね端部は、ダイヤル部材が回動操作されたとき、上記中立位置保持ばねに抗して、上記径方向腕部を介してその中心軸部を中心に上記軸部材を回動させる力を与え、かつ自身も変形可能な弾性を備えていることを特徴とするファインダの視野枠切換機構の操作装置。
【請求項２】
請求項１記載のファインダの視野枠切換機構の操作装置において、上記中立位置保持ばねは第１のトーションばねであり、カメラ本体に固定された突起部材と上記軸部材の径方向腕部に係合することにより、軸部材を中立回動位置に保持するファインダの視野枠切換機構の操作装置。
【請求項３】
請求項２記載のファインダの視野枠切換機構の操作装置において、上記ダイヤル部材の一対のばね端部は、該ダイヤル部材の軸部にコイル部を支持した第２のトーションばねの両端部に備えられていて、互いに接近する方向のねじり特性を与えられており、かつ、ダイヤル部材は、自由状態で、この一対のばね端部の間隔を軸部材の径方向腕部の径よりも大きく保持するストッパ部を備えているファインダの視野枠切換機構の操作装置。
【請求項４】
請求項３記載のファインダの視野枠切換機構の操作装置において、ダイヤル部材とカメラ本体の間には、ダイヤル部材自体を中立位置と、第１のトーションばね及び第２のトーションばねの弾性力に抗して正逆の回動位置とに保持するクリック機構が備えられているファインダの視野枠切換機構の操作装置。
【請求項５】
請求項４記載のファインダの視野枠切換機構の操作装置において、視野枠切換機構の遮光部材は、標準視野形成位置を中心に、幅狭視野形成位置と横長視野形成位置とで移動が規制されており、ダイヤル部材の中立回動位置からの正逆のクリック位置は、遮光部材を該移動規制位置よりさらに規制方向に移動させる位置に設定される、ファインダの視野枠切換機構の操作装置。
【請求項６】
請求項５記載のファインダの視野枠切換機構の操作装置において、ダイヤル部材の回動量と遮光部材の移動量の差により第２のトーションばねの一対のばね端部が弾性変形し、その復帰力で遮光部材が移動規制位置に保持されるファインダの視野枠切換機構の操作装置。
【請求項７】
請求項１ないし６いずれか１項記載のファインダの視野枠切換機構の操作装置において、ダイヤル部材は、視野枠切換機構と軸部材をカメラ本体に組み込んだ後に、カメラ本体に組み込まれるファインダの視野枠切換機構の操作装置。
【請求項８】
請求項１ないし７いずれか１項記載のファインダの視野枠切換機構の操作装置において、シーソ部材と軸部材は別部材からなっており、視野枠切換機構の組立後、相対回動不能に結合されるファインダの視野枠切換機構の操作装置。
【請求項９】
請求項１ないし８いずれか１項記載のファインダの視野枠切換機構の操作装置において、軸部材の径方向腕部は、軸部材の径方向に延びた接続部と、該接続部の端部から軸部材の中心軸部の軸線と平行に延設された偏心軸部を備えたクランク状をなしており、上記ダイヤル部材の一対のばね端部はこの偏心軸部を挟むファインダの視野枠切換機構の操作装置。
【請求項１０】
請求項１ないし９いずれか１項記載のファインダの視野枠切換機構の操作装置において、軸部材の中心軸部の軸線とダイヤル部材の回動軸線とは直交しているファインダの視野枠切換機構の操作装置。
【請求項１１】
回動軸となる中心軸部と、この中心軸部からの径方向腕部とを備えた軸部材；
この軸部材は、中立回動位置と、この中立回動位置からの正逆への回動位置を有すること；
上記軸部材を常時は中立回動位置に保持し、該軸部材が中立位置から正逆に回動したとき中立回動位置への復帰力を作用させる第１のトーションコイルばね；
外部から回動操作されるダイヤル部材；
このダイヤル部材の軸部に支持されたコイル部と、上記軸部材の径方向腕部を挟む、互いに接近する方向に付勢された一対のばね端部とを有する、上記第１のトーションコイルばねより強い第２のトーションコイルばね；及び
この第２のトーションコイルばねの一対のばね端部の間隔を、自由状態で、軸部材の径方向腕部の径よりも大きく保持する、ダイヤル部材に備えられたストッパ部；
を備えたことを特徴とする中立位置を有する回動操作部材の操作装置。
【発明の詳細な説明】
【０００１】
【技術分野】
本発明は、ファインダの視野枠切換機構の操作装置、及び中立位置を有する回動操作部材の操作装置に関する。
【０００２】
【従来技術及びその問題点】
自己推進式フィルムカートリッジを使用する新システム（Advanced Photo System ）のカメラでは、撮影画面サイズを、横長の標準視野（ハイビジョン、縦横比約９：１６）と、この標準視野の左右の一部を遮光した幅狭視野（クラシック、縦横比約２：３）と、上記標準視野の上下の一部を遮光した横長視野（パノラマ、縦横比約１：３）とに切換可能なものがある。このカメラでは撮影時の画像はフィルム上にハイビジョンサイズで写し込まれ、選択された画面サイズ情報が各コマごとに磁気的または光学的に記録される。そして、各撮影画面サイズへの処理は、該磁気記録に基づいて現像以後の段階で行われ、ハイビジョンサイズの左右をカットするとクラシック画面に、上下をカットするとパノラマ画面になる。そのためカメラ内の撮影光路上には画面サイズの縦横比を変化させる遮光機構を要しないが、撮影者が構図を決定するために、選択された画面サイズをファインダ内に表す必要がある。そこで、ファインダ光学系内には視野枠の切換機構が設けられる。
【０００３】
こうした視野枠切換機構を機械的に構成する場合、視野枠の縦横方向に可動の遮光部材が設けられ、この遮光部材を外部から操作可能な操作装置を用いて駆動させる。この操作装置と遮光部材を直結した構成にすると、組立誤差が直接に遮光部材の動作ずれになるため、組立精度を厳密に管理しなくてはならず実際的でない。そこで、操作装置と遮光部材の組立時には、その間に遊びが設けられる。組立性の観点からは、カメラがコンパクトであるほど部品が細かくなるので遊び量を多く設けることが望ましいが、操作装置と遮光部材の間に遊びを設けると以下のような問題が生じる。
【０００４】
遮光部材はハイビジョン視野形成位置（中立位置）を中心に、クラシック、パノラマの各視野形成位置へ駆動されるため、少なくとも遮光部材をハイビジョン視野形成位置に固定する保持手段を必要とする。この中立位置保持手段を可動の遮光部材側に設けると構造が複雑になって組立性が悪いので好ましくない。そのため、一般に中立位置保持手段は操作装置側に設置される。例えば、外部から回動操作可能なダイヤル部材にクリックストップ機構を設け、ダイヤル部材の複数のクリック位置に対応して遮光部材が所定サイズの視野枠を形成するという構成が可能である。しかし、操作装置と遮光部材の間に遊びがあり、かつ遮光部材自体を中立位置に保持する機構がないため遮光部材の位置がずれるおそれがある。遮光部材の位置がずれるとハイビジョン位置はもちろん、クラシックとパノラマ位置でも正確な視野枠が得られない。また、中立位置保持手段をクリックストップのような機械的装置のみで構成すると、該保持手段自体に誤差があった場合に、やはり遮光部材の位置ずれが起こる。さらに、遮光部材をクラシック及びパノラマ視野形成位置へ確実に移動させるには、操作装置と遮光部材の間の組立誤差も考慮に入れなければならない。
【０００５】
こうした問題は、ファインダの視野枠切換機構に限られるものではない。例えば、中立回動位置及びこの中立回動位置からの正逆への回動位置を有する回動操作部材がある場合、この回動操作部材と操作装置を遊びをもって組み合わせると、回動操作部材の中立位置と正逆の回動位置を確実に出すことが難しい。
【０００６】
【発明の目的】
本発明は以上の問題点に鑑みてなされたものであり、組み立て易く、遮光部材の動作ずれのおそれのないファインダの視野枠切換機構の操作装置を提供することを目的とする。本発明はまた、組み立て易く、かつ中立位置及び正逆の回動位置を確実に得ることが可能な、中立位置を有する回動操作部材の操作装置を得ることを目的とする。
【０００７】
【発明の概要】
本発明による、ファインダの視野枠切換機構の操作装置は、回動軸を有し視野枠面と平行な面内で揺動するシーソ部材と、このシーソ部材の揺動を受けて、横長の標準視野と、この標準視野の左右の一部を遮光した幅狭視野と、上記標準視野の上下の一部を遮光した横長視野とに視野枠の大きさを切り換える可動の遮光部材とを備えたファインダ視野枠切換機構；上記シーソ部材をその回動軸を中心に回動させる中心軸部と、この中心軸部からの径方向腕部とを備えた軸部材；この軸部材は、その中心軸部を回動中心とする中立回動位置と、この中立回動位置からの正逆への回動位置を有し、中立回動位置で上記シーソ部材を介し視野枠切換機構は標準視野を形成し、正逆の回動位置で幅狭視野と横長視野とをそれぞれ形成すること；上記軸部材を常時は中立回動位置に保持し、該軸部材が中立位置から正逆に回動したとき中立回動位置への復帰力を作用させる中立位置保持ばね；及び、軸部材の径方向腕部を挟む一対のばね端部を有する、外部から回動操作されるダイヤル部材；を備え、このダイヤル部材の一対のばね端部は、ダイヤル部材が回動操作されたとき、中立位置保持ばねに抗して、径方向腕部を介してその中心軸部を中心に軸部材を回動させる力を与え、かつ自身も変形可能な弾性を備えていることを特徴とする。視野枠切換機構の中立位置保持手段は、該切換機構の外部に備えられるので組み立てが簡単であり、該切換機構と遊びなく結合させれば遮光部材の中立位置がずれることもない。
【０００８】
この構成には以下の利点がある。まず、視野枠切換機構の中立位置の保持は中立位置保持ばねが行うので、視野枠切換機構側に結合する軸部材とダイヤル部材の間にはある程度の遊びを設けることができる。そして遮光部材は、標準視野形成位置（中立位置）に中立位置保持ばねで保持され、幅狭視野形成位置および横長視野形成位置へは、ダイヤル部材に設けた一対のばね端部が弾性的に移行させるので、軸部材が中立位置から動いたたきにも遮光部材の作動ずれが生じない。
【０００９】
例えば、中立位置保持ばねを第１のトーションばねとし、このトーションばねを、カメラ本体に固定された突起部材と上記軸部材の径方向腕部とに係合させることにより、軸部材を中立回動位置に保持することができる。
【００１０】
ダイヤル部材と軸部材との接続方法は次のように行われることが望ましい。一対のばね端部は、ダイヤル部材の軸部にコイル部を支持した第２のトーションばねの両端部に備えられていて、互いに接近する方向のねじり特性を与えられている。そしてダイヤル部材は、自由状態で、この一対のばね端部の間隔を軸部材の径方向腕部の径よりも大きく保持するストッパ部を備える。これにより、中立位置では一対のばね端部が軸部材の径方向腕部から離間した状態になり、組立時の遊びを大きく取ることができる。
【００１１】
さらに、ダイヤル部材とカメラ本体との間に、ダイヤル部材自体を中立位置と、第１のトーションばね及び第２のトーションばねの弾性力に抗して正逆の回動位置とに保持するクリック機構を備えることができる。これにより、遮光部材を幅狭視野形成位置または横長視野形成位置に保持させることが可能となる。
【００１２】
しかし、ダイヤル部材の回動量と遮光部材の移動量が一致していると、軸部材とダイヤル部材との間に組立誤差があった場合、遮光部材が幅狭視野形成位置あるいは横長視野形成位置まで正確に移動しなくなる。また、遮光部材が幅狭視野形成位置または横長視野形成位置より先方に移動可能であると、ダイヤルを係止しても視野枠が定まらない。そこで、多少の組立誤差があっても遮光部材が幅狭視野形成位置と横長視野形成位置に確実に移動されるように、以下のように構成することが望ましい。
すなわち、遮光部材は、標準視野形成位置を中心に、幅狭視野形成位置と横長視野形成位置で移動を規制される。一方、ダイヤル部材の中立回動位置からの正逆のクリック位置は、遮光部材を該移動規制位置よりさらに規制方向に移動させる位置に設定する。つまりダイヤル部材の回動量の方を多めにする。この場合、遮光部材が規制位置に当て付いてもダイヤル部材が回動するので、第２のトーションばねの一対のばね端部が弾性変形し、その復元力で遮光部材が両端の移動規制位置に保持される。若干の組立誤差があっても、遮光部材は幅狭視野形成位置または横長視野形成位置まで確実に駆動される。
【００１３】
軸部材の径方向腕部は、軸部材の径方向に延びた接続部と、該接続部の端部から軸部材の中心軸部の軸線と平行に延設された偏心軸部を備えたクランク状をなし、上記第２のトーションばねの一対のばね端部はこの偏心軸部を挟むように構成することができる。
【００１４】
以上の視野枠切換機構の操作装置において、ダイヤル部材は、視野枠切換機構と軸部材をファインダ本体に組み込んだ後に、ファインダ本体に組み込まれることが組立性の点から好ましい。このとき、シーソ部材と軸部材を別部材とし、シーソ部材を含む視野枠切換機構はユニット状態に組み立てられた後、シーソ部材と軸部材を相対回動不能に結合すると組み立てが容易である。組立状態においては、軸部材の中心軸部の軸線とダイヤル部材の回動軸線とは、直交又は平行のいずれの状態にも設置することができる。
【００１５】
本発明はまた、ファインダの視野枠切換機構の操作装置以外の、中立位置を有する回動操作部材の操作装置全般に関するものである。本発明による中立位置を有する回動操作部材の操作装置は、回動軸となる中心軸部と、この中心軸部からの径方向腕部とを備えた軸部材；この軸部材は、中立回動位置と、この中立回動位置からの正逆への回動位置を有すること；上記軸部材を常時は中立回動位置に保持し、該軸部材が中立位置から正逆に回動したとき中立回動位置への復帰力を作用させる第１のトーションコイルばね；外部から回動操作されるダイヤル部材；このダイヤル部材の軸部に支持されたコイル部と、上記軸部材の径方向腕部を挟む、互いに接近する方向に付勢された一対のばね端部とを有する、上記第１のトーションコイルばねより強い第２のトーションコイルばね；及び、この第２のトーションコイルばねの一対のばね端部の間隔を、自由状態で、軸部材の径方向腕部の径よりも大きく保持する、ダイヤル部材に備えられたストッパ部；を備えたことを特徴とする。これにより、組立性を損なうことなく、回動操作部材の中立位置及び正逆の回動位置を得ることができる。
【００１６】
【発明の実施の形態】
以下、図面に基づいて本発明を説明する。図１から図５は、本発明によるファインダの視野枠切換機構の操作装置を適用した、自己推進式のフィルムカートリッジを使用するカメラの一実施形態を示している。この実施形態のカメラは、カメラボディ１１の正面中央に、ズームレンズ鏡筒２１を有している。ズームレンズ鏡筒２１は、第１、第２レンズ鏡筒２２、２３からなり、光軸方向後方の収納位置と前方の撮影可能位置（ズーム範囲）との間を移動可能であり、収納位置ではカメラボディ１１内に収納される沈胴式となっている。ズームレンズ鏡筒２１は、カメラボディ１１内部に設けたズームモータによって光軸方向に駆動される。カメラボディ１１は正面に、収納されたズームレンズ鏡筒２１を保護する固定カバー１３、収納カバー１４、スライドカバー１５を備えている。固定カバー１３はカメラボディ１１に固定されていて、スライドカバー１５は、スライドレール１６に沿ってカメラボディ１１の長手方向に進退可能に支持されている。また収納カバー１４は、スライドカバー１５に連動し、スライドカバー１５が固定カバー１３に当接した閉鎖状態では固定カバー１３とスライドカバー１５との間に形成される縦長長方形の開口を閉じ（図１参照）、スライドカバー１５が固定カバー１３から離反した開放状態ではスライドカバー１５と同方向に移動し、かつスライドカバー１５の裏面まで完全に移動してズームレンズ鏡筒２１を露出させる（図２参照）。
【００１７】
このカメラには、スライドカバー１５が閉位置から全開位置に達する直前、及び全開位置から閉位置に若干移動させたときに作動するメインスイッチが設けられている。このメインスイッチは、スライドカバー１５が閉位置から全開位置に達する直前にオンして、スライドカバー１５が全開位置から閉位置に若干移動されるとオフするように構成されている。メインスイッチがオンになると、ズームモータが繰出方向に起動してレンズ鏡筒２２、２３が撮影可能位置まで駆動される。一方、メインスイッチがオフになると、ズームモータが収納方向に起動してレンズ鏡筒２２、２３が収納位置まで引き込まれる。
【００１８】
カメラボディ１１の正面左側には円筒状のグリップ部１２が形成されていて、このグリップ部１２の上端面に、大型のモードダイヤル１７と、モードダイヤル１７の軸部にレリーズボタン１９が設けられている。モードダイヤル１７はクリックストップタイプの回動ダイヤルであって、そのクリックストップ位置によって、自動露出モード、自動露出及び赤目軽減用プリ発光モード、スローシャッタモード、バルブ及び強制ストロボ発光モード、バルブモード、ストロボ強制発光モード、ストロボ発光停止モードを択一的に選択できる。レリーズボタン１９は２段スイッチであって、半押しで測光スイッチがオンして測光及び測距し、全押しでレリーズスイッチがオンして合焦及び露光処理、フィルム巻き上げ処理などを実行する。
【００１９】
カメラボディの正面にはさらに、カバー１４、１５を開放した状態で露出する、測光窓２７、ＡＦ窓２９及びファインダ窓３０が備えられている。
【００２０】
カメラボディ１１の上面にはポップアップストロボ２５が設けられる。このポップアップストロボ２５は、スライドカバー１５の開閉に連動し、開放移動でポップアップし、閉鎖移動で収納される。
【００２１】
カメラボディ１１の背面には、ほぼ中央にＬＣＤパネル３１を備え、上部ほぼ中央にファインダのアイピース３２、その右側に順に撮影画面切換ダイヤル３３及びズーム操作レバー３４を備え、ズーム操作レバー３４の下方には、カートリッジ蓋３５をロック、解放するカートリッジ蓋開閉レバー３６を備えている。カメラボディ１１の側面には、電池収納室を開閉する電池蓋の開閉レバー３７が設けられている。なお、図４のＬＣＤパネル３１は、表示素子を全て点灯状態で示している。撮影画面切換ダイヤル３３は、ハイビジョン（Ｈ）位置を中立に、クラシック（Ｃ）とパノラマ（Ｐ）の両位置に回動操作して撮影画面サイズを３様に切り換えることができる。撮影画面切換ダイヤル３３で選択した画面サイズ情報は、不図示の磁気記録装置によってフィルム面に記録される。
【００２２】
カメラボディ１１の正面側のファインダ窓３０と背面側のアイピース３２の間にはファインダ光学系が設けられる。このファインダ光学系内には、撮影者がアイピース３２から観察して構図を決定するために、ハイビジョン（標準）視野を中心にクラシック（幅狭）視野とパノラマ（横長）視野とにファインダ視野のサイズを切換可能な視野枠切換機構が設けられる。またカメラボディ１１内部には別に、撮影画面切換ダイヤル３３の操作を受けて視野枠切換機構を駆動させる操作装置が設けられる。
【００２３】
図６から図１１は、カメラボディ１１内部におけるファインダの視野枠切換装置を示している。図６を参照して視野枠切換装置の構成を説明する。この視野枠切換装置の親板４１は、中央付近に矩形開口部４２を有する。矩形開口部４２の上下には、該矩形開口部４２の長辺と平行に延びる各一対の摺動案内溝４３、４４が設けられ、一対の摺動案内溝４３の上部には、円形孔４５と弧状ガイド孔４６が対をなして穿設されている。矩形開口部４２の一短辺の側部には板状部４７が張り出しており、これに円形の軸受孔４８が穿設されている。親板４１の下部両端からは、板面に対し垂直な方向に一対の嵌着ピン４９が突設され、この一対の嵌着ピン４９の横方向に一対の固定突起５０が突出している。また、親板４１の上部にはフック掛け５２が形成されている。
【００２４】
親板４１の一対の摺動案内溝４３には、第１Ｌ字遮光部材５５の横長壁５６の側面に突設した一対の案内ピン５７（図７から図９を参照）が摺動可能に嵌合される。横長壁５６の一端部からは直角に縦遮光壁５８が延設され、横長壁５６の他端部には縦溝５９が形成されている。また横長壁５６の上面には一対のカム係合突起６０が突設されている。親板４１の一対の摺動案内溝４４には同様に、第２Ｌ字遮光部材６１の横長壁６２の側面に突設した一対の案内ピン６３（図７から図９を参照）が摺動可能に嵌合される。横長壁６２の一端部からは直角に、上記縦遮光壁５８と対向する縦遮光壁６４が延設され、この縦遮光壁６４の一側には、上記縦溝５９と対向する縦溝６５が形成されている。
【００２５】
第１Ｌ字遮光部材５５の縦溝５９と、第２Ｌ字遮光部材６１の縦溝６５には、シーソ部材８０の操作突起８１、８２がそれぞれ回動及び摺動可能に嵌入される。シーソ部材８０は、この操作突起８１と操作突起８２の中間点に回動軸８３を突出させており、該回動軸８３は上記親板４１の軸受孔４８に回動可能に装着されている。シーソ部材８０の回動軸８３と反対側の面には、非円形断面形状の結合孔８４が穿設されている。シーソ部材８０が図７に示す状態を中心に、正逆方向に揺動すると、第１Ｌ字遮光部材５５と第２Ｌ字遮光部材６１は、各一対の摺動案内溝４３、４４の案内を受けて、矩形開口部４２の左右方向にそれぞれ正逆に同量スライドする。これにより、縦遮光壁５８と縦遮光壁６４が矩形開口部４２の左右方向において相互に接近する動作と離間する動作とが行われる。以下、第１Ｌ字遮光部材５５及び第２Ｌ字遮光部材６１に関して、縦遮光壁５８と縦遮光壁６４が最大に接近する位置を幅狭視野形成位置、縦遮光壁５８、６４が最大に離間する位置を横長視野形成位置と呼ぶ。
【００２６】
上述の通り、親板４１上部には一対の円形孔４５が設けられている。この一対の円形孔４５は、それぞれ矩形開口部４２の上辺から等しい高さに穿設されており、一対の揺動カム６６の回動支持軸６７ａを回動可能に支持している。各揺動カム６６には、回動支持軸６７ａの側方に揺動案内ピン６８ａが固設されていて、親板４１の一対の弧状ガイド孔４６内で移動可能に嵌っている。よって一対の揺動カム６６は、揺動案内ピン６８ａが弧状ガイド孔４６に案内される範囲の揺動を行う。
【００２７】
一対の揺動カム６６の下面側には、上記第１Ｌ字遮光部材５５のカム係合突起６０と係合するカム面６９（図７から図９を参照）が形成されている。カム面６９は、回動支持軸６７ａ付近の凹状カム面６９ａと平面部６９ｂを有している。各揺動カム６６において、回動支持軸６７ａの反対方向には回動支持軸６７ｂが突設され、揺動案内ピン６８ａの反対方向には第１吊下ピン６８ｂが突設されている。また回動支持軸６７ｂを挟んで第１吊下ピン６８ｂと軸対称の位置には第２吊下ピン７０が突設されている。揺動カム６６は、カム係合突起６０がカム面６９の平面部６９ｂに係合しているときには、第２吊下ピン７０が上り、第１吊下ピン６８ｂが下がった状態に保持され（図７及び図８参照）、カム係合突起６０がカム面６９の凹状カム面６９ａに嵌っているときには、逆に第１吊下ピン６８ｂが上り、第２吊下ピン７０が下がった状態へ揺動される（図９参照）。
【００２８】
第１Ｌ字遮光部材５５の横長壁５６の側面に隣接して、横遮光板７１が配される。この横遮光板７１は上方に向けて一対の吊下腕部７１ａを有し、該吊下腕部７１ａに設けた一対のピン受け孔７２を、上記一対の揺動カム６６の一対の第２吊下ピン７０に貫通支持されている。また、第１Ｌ字遮光部材５５及び第２Ｌ字遮光部材６１の側面に隣接して枠状遮光板７３が配される。この枠状遮光板７３の上辺からは一対の吊下腕部７３ａが延設される。該一対の吊下腕部７３ａは一対のピン受け孔７４を有し、これを上記一対の揺動カム６６の一対の第１吊下ピン６８ｂが貫通支持している。枠状遮光板７３の下部枠体は、上記横遮光板７１と平行に延びる横遮光部７５となっている。また枠状遮光板７３の内周面は、親板４１の矩形開口部４２とほぼ同サイズの矩形開口部７６となっている。
【００２９】
一対の揺動カム６６が回動支持軸６７ａ（６７ｂ）を中心に揺動すると、一対の第２吊下ピン７０に支持された横遮光板７１と、一対の第１吊下ピン６８ｂに支持された枠状遮光板７３は、左右方向の位置を若干変化させつつ矩形開口部４２の上下方向に正逆に同量移動する。これにより、横遮光板７１と横遮光部７５が矩形開口部４２の上下方向において相互に接近する動作と離間する動作とが行われる。
【００３０】
横遮光板７１及び枠状遮光板７３に隣接して押え板８５が設置される。押え板８５は、親板４１の両端下部に設けた一対の固定突起５０に、係止孔８６とフック８７を係着させて一対の小円孔８８に上記一対の嵌着ピン４９を嵌合させ、さらに親板４１のフック掛け５２にフック８９を係合させることによって親板４１と固定される。この固定状態において、上記一対のピン受け孔７２を貫通した一対の第２吊下ピン７０は、押え板８５に設けた一対の弧状ガイド孔９０に摺動可能に嵌合し、上記一対のピン受け孔７４を貫通した一対の第１吊下ピン６８ｂは、同一対の弧状ガイド孔９１に摺動可能に嵌合する。また各一対の弧状ガイド孔９０と弧状ガイド孔９１の間に形成された一対の円形孔９２に、上記一対の回動支持軸６７ｂが回動可能に支持されている。
【００３１】
押え板８５の中央付近には、矩形開口部９３が形成されている。この矩形開口部９３は、縦横比が約９：１６であり、ハイビジョン用の視野枠（標準視野）を構成している。前述の、親板４１に設けた矩形開口部４２及び枠状遮光板７３の矩形開口部７６は、この矩形開口部９３よりも若干大きく形成されていて、押え板８５と親板４１の間に組み付け誤差があってもハイビジョン用の視野枠が干渉されずに確保される。
【００３２】
第１Ｌ字遮光部材５５及び第２Ｌ字遮光部材６１は、幅狭視野形成位置にあるとき、縦遮光壁５８と縦遮光壁６４がこの矩形開口部（ハイビジョン用視野枠）９３の左右端部に進出する。従って、第１Ｌ字遮光部材５５及び第２Ｌ字遮光部材６１は、シーソ部材８０の揺動に応じてハイビジョン用視野枠の左右端部を遮光するクラシック用遮光枠を構成している。また、横遮光板７１と枠状遮光板７３（横遮光部７５）は、このクラシック用遮光枠が横長視野形成位置に移動すると矩形開口部（ハイビジョン用視野枠）９３の上下端部に進出する。従って、横遮光板７１と枠状遮光板７３は、一対の揺動カム６６の揺動に応じてハイビジョン用視野枠の上下端部を遮光するパノラマ用遮光枠を構成している。さらに、第１Ｌ字遮光部材５５の一対のカム係合突起６０と、これに係合して駆動される一対の揺動カム６６とが、クラシック用遮光枠の移動力を受けてパノラマ用遮光枠を駆動させる連動移動機構を構成している。
以上から、ファインダの視野枠切換装置は、親板４１に対してクラシック用遮光枠、パノラマ用遮光枠及び連動移動機構が組み付けられ、これを押え板８５で押えて挟着支持したユニット構成となっている。
【００３３】
矩形開口部９３の側方の板状部９４には上記シーソ部材８０の結合孔８４を露出させる貫通孔９５が穿設されている。この貫通孔９５を通して、切換レバー（操作部材）９６の結合ピン９７が上記結合孔８４へ嵌合する。結合孔８４と結合ピン９７は非円形断面形状をなしているから、両者は相対回動することなく結合され、切換レバー９６の回動がシーソ部材８０に伝達される。
【００３４】
切換レバー９６は、中心軸部９６ａと、この中心軸部９６ａの径方向に延設された接続部９６ｂと、該接続部９６ｂの端部から中心軸部９６ａと偏心して平行に延びるばね掛け突起（偏心軸部）９８とを備えたクランク形状をなしている。接続部９６ｂ及びばね掛け突起（偏心軸部）９８は、中心軸部９６ａに対して径方向に位置するため、これを合わせて径方向腕部と呼ぶ。切換レバー９６は、ばね掛け突起９８を回動操作すると、中心軸部９６ａを介してシーソ部材８０を回動軸８３を中心に回動させることができる。前述した通り、シーソ部材８０は、第１Ｌ字遮光部材５５及び第２Ｌ字遮光部材６１を、ハイビジョン用視野枠の左右方向に正逆にスライドさせる。このスライドは、親板４１に設けた摺動案内溝４３、４４の案内を受けるから、シーソ部材８０は一定の範囲で揺動することになる。従って、切換レバー９６の回動量は、第１Ｌ字遮光部材５５及び第２Ｌ字遮光部材６１のスライド量に対応していて、各一対の案内ピン５７、６３が親板４１の各一対の摺動案内溝４３、４４の端部に当て付くと切換レバー９６の回動が係止される。
【００３５】
組立状態の視野枠切換機構を図１０に示す。クラシック用遮光枠、パノラマ用遮光枠及び連動移動機構が親板４１と押え板８５の間に挟まれ、一体の視野枠切換ユニット１００として構成されている。該ユニット１００内にはさらに、切換レバー９６に操作されるシーソ部材８０も挟着支持されている。この視野枠切換ユニット１００は一体に組み立てられた後、カメラ本体のファインダ光学系支持部１０１（図１１）に装着される。ファインダ光学系支持部１０１には、物体側から順に、対物光学系１０２、固定ミラー１０３、固定レンズ１０４、ポロプリズム１０５、アイピース３２が配されている。このファインダ光学系は、前後方向に薄いカメラボディ１１内で光路長を確保するため、固定ミラー１０３とポロプリズム１０５により、光軸が平面的に見てクランク状に屈曲されている。対物光学系１０２による像は、固定ミラー１０３で反射された後、固定レンズ１０４の直後の位置（ピント面）に結像し、固定ミラー１０３とポロプリズム１０５の合計４面の反射面で正立像に変換されて、アイピース３２を介して観察される。
【００３６】
ファインダ光学系支持部１０１にはピント面に相当する位置にユニット装着部１０６が形成されている。このユニット装着部１０６に、押え板８５を固定レンズ１０４に、親板４１をポロプリズム１０５にそれぞれ臨ませて視野枠切換ユニット１００が嵌め込まれる。ユニット装着部１０６の壁面には、シーソ部材８０の結合孔８４を外部に露出させる貫通孔１０８が形成され、切換レバー９６の結合ピン９７を結合孔８４と結合させることが可能になっている。なお、視野枠切換ユニット１００と切換レバー９６を別体とするのは、組立性を良くするためであり、これを一体に形成してユニット化する形態も可能である。
【００３７】
ファインダ光学系支持部１０１に上から固定される上部カバー１０７の側面には、固定突起１１０が突設されている。上部カバー１０７の取り付け状態において、固定突起１１０は、切換レバー９６の中心軸部９６ａとばね掛け突起９８との近傍に位置する。
【００３８】
結合孔８４に結合ピン９７が取り付けられた状態において、切換レバー９６（ばね掛け突起９８）の回動軸はカメラボディ１１の左右方向に延びている。一方、撮影画面切換ダイヤル３３は、カメラボディ１１の背面板と平行な面内で回動する。つまり、切換レバー９６の中心軸部９６ａの回動軸線と撮影画面切換ダイヤル３３の回動軸線とは直交している。この撮影画面切換ダイヤル３３の操作を視野枠切換ユニット１００に伝達する操作装置について図１２から図１７を参照して説明する。
【００３９】
図１５に示すように、前述の切換レバー９６の中心軸部９６ａには、中立位置保持ばね（トーションばね）１１１のコイル部が巻着されている。この中立位置保持ばね１１１は、交差して上部カバー１０７の固定突起１１０を挟着保持する一対の固定突起保持部１１２を備え、該固定突起保持部１１２の端部はほぼ直角に曲折された一対のレバー保持端部１１３としてばね掛け突起９８に係合している。中立位置保持ばね１１１は、カメラ本体の固定部分（固定突起１１０）と切換レバー９６の回動操作部分（ばね掛け突起９８）に係合しているので、ばね力によって、切換レバー９６は一定の位置（図１２）に弾性的に保持されている。このとき、切換レバー９６に結合されるシーソ部材８０は、第１Ｌ字遮光部材５５の縦溝５９と第２Ｌ字遮光部材６１の縦溝６５を一直線上に位置させる中立位置（図７）にある。切換レバー９６とシーソ部材８０は一体に回動するから、図１２の位置を切換レバー９６の中立回動位置と呼ぶ。つまり、切換レバー９６の径方向腕部と、上部カバー１０７の固定突起１１０と、中立位置保持ばね１１１とは、切換レバー９６を中立回動位置に付勢する中立位置保持機構を構成している。
【００４０】
撮影画面切換ダイヤル３３は、カメラ本体との間に、図４に示す３つの回動位置、すなわち、ハイビジョン（Ｈ）、クラシック（Ｃ）、パノラマ（Ｐ）で係止するためのクリック機構１２０を有している。撮影画面切換ダイヤル３３はさらに、一体に回動するブラシ１２４を備えており、ブラシ１２４はこの３つのクリックストップ位置を検出して、カメラ本体内に設けたＣＰＵに画面サイズを表す電気信号が伝達される。カメラはフィルム面の近傍に不図示の磁気記録装置を備えていて、ブラシ１２４が検出した画面サイズに関する情報がフィルム面に磁気的に記録される。この磁気情報に基づき、クラシックサイズで撮影されたものは撮影画面の左右が、パノラマサイズで撮影されたものは撮影画面の上下が、それぞれカットされる。
【００４１】
撮影画面切換ダイヤル３３の裏面側にはまた、回動軸３３ａの中心から偏心した位置にストッパ部１０９が植設されている。回動軸３３ａにはレバー駆動ばね（トーションコイルばね）１１４のコイル部１１４ａが巻着されており、このコイル部１１４ａからは対をなす突起保持部１１５、１１６が交差して回動軸３３ａの径方向に延設されている。レバー駆動ばね１１４は、突起保持部１１５、１１６を互いに接近する方向のねじり特性を与えられており、突起保持部１１５、１１６の間には上記ストッパ部１０９が挿通されて、突起保持部１１５、１１６の間隔をやや拡げた状態で保持している。そして、撮影画面切換ダイヤル３３が回動されると、レバー駆動ばね１１４は一体に回動される。突起保持部１１５、１１６の端部にはさらに、回動軸３３ａの軸線と略平行な方向に曲折された一対の曲折端部１１７、１１８が形成される。曲折端部１１７、１１８は回動軸３３ａの軸線から偏心した位置にあって、撮影画面切換ダイヤル３３をカメラボディ１１に取り付けると、曲折端部１１７、１１８が切換レバー９６のばね掛け突起９８を挟んで対向する。上記突起保持部１１５、１１６に挟着されたストッパ部１０９により、この曲折端部１１７、１１８の間隔は、ばね掛け突起９８の径サイズより大きく保持されている（図１３、１４参照）。
【００４２】
撮影画面切換ダイヤル３３がハイビジョン位置（Ｈ）にクリックストップされているときには、曲折端部１１７、１１８がばね掛け突起９８から離間している（図１２）。このとき、中立位置保持ばね１１１が切換レバー９６を中立回動位置に保持する。撮影画面切換ダイヤル３３がクラシック位置（Ｃ）に回動されたときには、曲折端部１１８がばね掛け突起９８に係合する方向にレバー駆動ばね１１４が回動し（図１６）、撮影画面切換ダイヤル３３がパノラマ位置（Ｐ）に回動されたときには、曲折端部１１７がばね掛け突起９８に係合する方向にレバー駆動ばね１１４が回動する（図１７）。曲折端部１１７又は曲折端部１１８がばね掛け突起９８に係合した時点で、中立位置保持ばね１１１の中立位置保持力とレバー駆動ばね１１４の回動付勢力とが切換レバー９６に同時に作用するが、レバー駆動ばね１１４の復元力は、中立位置保持ばね１１１の復元力よりも強く設定されている。よって、撮影画面切換ダイヤル３３がクラシック位置（Ｃ）又はパノラマ位置（Ｐ）に回動されたときには、曲折端部１１７又は曲折端部１１８は、中立位置保持ばね１１１に抗して、ばね掛け突起９８を介して切換レバー９６を正逆に回動させる。
【００４３】
前述した通り、切換レバー９６の正逆の回動は、第１Ｌ字遮光部材５５及び第２Ｌ字遮光部材６１の左右方向のスライドが規制されるまで行うことができる。一方、撮影画面切換ダイヤル３３は、ハイビジョン位置（Ｈ）を中心に、クラシック位置（Ｃ）とパノラマ位置（Ｐ）とでクリックストップされるので、同様に正逆の回動量が決められている。本実施形態においては、撮影画面切換ダイヤル３３がハイビジョン位置（Ｈ）からクラシック位置（Ｃ）、又はハイビジョン位置（Ｈ）からパノラマ位置（Ｐ）でクリックストップされるまでの正逆の回動量は、第１Ｌ字遮光部材５５及び第２Ｌ字遮光部材６１が上記の中立位置から各一対の摺動案内溝４３、４４の端部に規制されるまでの正逆のスライド量よりも多く設定されている。従って、撮影画面切換ダイヤル３３がクラシック位置（Ｃ）あるいはパノラマ位置（Ｐ）に係止される前に、第１Ｌ字遮光部材５５及び第２Ｌ字遮光部材６１は、各一対の案内ピン５７、６３が親板４１の各一対の摺動案内溝４３、４４の端部に係合する。撮影画面切換ダイヤル３３はさらに回動可能であるから、これをクリック位置まで回動させると、レバー駆動ばね１１４の曲折端部１１７又は曲折端部１１８が自身の弾性で変形して切換レバー９６を付勢し、第１Ｌ字遮光部材５５及び第２Ｌ字遮光部材６１がスライド規制位置に押しつけられる。
以上から、レバー駆動ばね１１４は、撮影画面切換ダイヤル３３がハイビジョン位置（Ｈ）にあるときは視野枠切換機構を駆動せず、撮影画面切換ダイヤル３３がクラシック位置（Ｃ）とパノラマ位置（Ｐ）に回動されたときには、オーバー気味の駆動力で視野枠切換機構を駆動させる。
【００４４】
上記構成の視野枠切換機構及びその操作装置は、次のように作動する。図７から図９において２点鎖線で示す枠は、固定のハイビジョン視野枠を形成する矩形開口部９３である。
【００４５】
図１２は、撮影画面切換ダイヤル３３がハイビジョン位置（Ｈ）にあるときの視野枠切換機構の操作装置を示す。レバー駆動ばね１１４の曲折端部１１７、１１８がばね掛け突起９８から離間しているため、切換レバー９６は、中立位置保持ばね１１１のばね力で中立回動位置に保たれている。つまり切換レバー９６に結合されるシーソ部材８０は、中立位置に保持されている。
【００４６】
このときの視野枠切換機構を図７に示す。シーソ部材８０が中立位置にあるため、第１Ｌ字遮光部材５５の縦遮光壁５８と第２Ｌ字遮光部材６１の縦遮光壁６４は、矩形開口部（ハイビジョン用視野枠）９３の画角外にある。このとき第１Ｌ字遮光部材５５は、一対のカム係合突起６０が一対の揺動カム６６下部のカム面６９の平面部６９ｂを押し上げる位置にある。これにより第２吊下ピン７０が上り、第１吊下ピン６８ｂを下げた状態となる一対の揺動カム６６は、横遮光板７１を矩形開口部９３の画角外に引き上げ、矩形開口部７６を親板４１の矩形開口部４２と略一致させる位置に枠状遮光板７３を保持する。つまり、撮影画面切換ダイヤル３３がハイビジョン（Ｈ）位置にあるときは、押え板８５に設けた矩形開口部９３がファインダの視野枠となる。
【００４７】
撮影画面切換ダイヤル３３をハイビジョン位置（Ｈ）からクラシック位置（Ｃ）に操作したときの視野枠切換機構の操作装置を図１６に示す。撮影画面切換ダイヤル３３は図中の時計方向に回動されるため、レバー駆動ばね１１４が時計方向に一体に回動する。すると、曲折端部１１８がばね掛け突起９８に係合してばね掛け突起９８を図中上方に回動させる力が作用し、レバー駆動ばね１１４と中立位置保持ばね１１１のばね力の差によって、切換レバー９６は、図１０の矢印Ａ方向に回動される。これにより、シーソ部材８０が中立位置から図７中における反時計方向に回動する。
【００４８】
図８はこのときの視野枠切換機構を示す。シーソ部材８０の回動で操作突起８１が縦溝５９を図中の左方向に押し込むので、第１Ｌ字遮光部材５５は、一対の摺動案内溝４３に案内されて図７中の左方向へスライドされる。同時に、操作突起８２が縦溝６５を図中の右方向に押し込むので、第２Ｌ字遮光部材６１は、一対の摺動案内溝４４に案内されて図７中の右方向へスライドされる。このスライドで縦遮光壁５８及び縦遮光壁６４が、矩形開口部９３の左右端部に進出する。視野枠の左右は縦遮光壁５８及び縦遮光壁６４で遮光されるので、その分視野枠は横方向に狭くなる。一方、第１Ｌ字遮光部材５５が左方向にスライドしたとき、カム係合突起６０の移動方向へは揺動カム６６のカム面６９は平面形状をなしているので、カム係合突起６０とカム面６９の当接する高さは変化せず、一対の揺動カム６６は図７の位置から回動されない。よって横遮光板７１と枠状遮光板７３（横遮光部７５）は、矩形開口部９３の画角外の位置から駆動されずに保持される。つまり、縦方向の視野は矩形開口部９３で決定される。この状態では視野枠の縦横比が約２：３となり、クラシック用の視野枠になる。
【００４９】
ハイビジョン位置（Ｈ）からクラシック位置（Ｃ）でクリックストップされるまでの撮影画面切換ダイヤル３３の回動量は、ハイビジョン視野形成位置（中立位置）から幅狭視野形成位置への第１Ｌ字遮光部材５５及び第２Ｌ字遮光部材６１の移動量よりも多い。従って図１６では、シーソ部材８０を介して該遮光部材５５、６１と連動する切換レバー９６のばね掛け突起９８は、図示位置より上方への回動が規制されており、レバー駆動ばね１１４が若干撓んでばね掛け突起９８を該規制方向に押し付けている。
【００５０】
撮影画面切換ダイヤル３３をハイビジョン位置（Ｈ）からパノラマ位置（Ｐ）に操作したときの視野枠切換機構の操作装置を図１７に示す。撮影画面切換ダイヤル３３は図中の反時計方向に回動されるため、レバー駆動ばね１１４が反時計方向に一体に回動する。すると、曲折端部１１７がばね掛け突起９８に係合してばね掛け突起９８を図中下方に回動させる力が作用し、レバー駆動ばね１１４と中立位置保持ばね１１１のばね力の差によって、切換レバー９６は、図１０中の矢印Ｂ方向に回動される。これにより、シーソ部材８０が中立位置から図７中における時計方向に回動する。
【００５１】
図９はこのときの視野枠切換機構を示す。シーソ部材８０の回動で、操作突起８２が縦溝６５を図７中の左方向に押し込むので、第２Ｌ字遮光部材６１は、一対の摺動案内溝４４の案内を受けて図７中の左方向へスライドされる。同時に、操作突起８１が縦溝５９を図７中の右方向に押し込むので、第１Ｌ字遮光部材５５は、一対の摺動案内溝４３の案内を受けて図７中の右方向へスライドされる。このスライドでは、縦遮光壁５８及び縦遮光壁６４が矩形開口部４２、９３から離間する方向に移動されるため、第１Ｌ字遮光部材５５及び第２Ｌ字遮光部材６１は視野枠の大きさに関係せず、横方向の視野は矩形開口部９３で決定される。第１Ｌ字遮光部材５５が右方向へスライドしたとき、第１Ｌ字遮光部材５５の一対のカム係合突起６０が、一対のカム面６９に形成した凹状カム面６９ａに嵌る。すると、一対の揺動カム６６が図７中の反時計方向に揺動され、一対の第２吊下ピン７０が下がり、一対の第１吊下ピン６８ｂが上がる。これにより横遮光板７１が図中下方に略平行に移動され、枠状遮光板７３が図中上方に略平行に移動され、横遮光板７１と枠状遮光板７３の横遮光部７５が矩形開口部９３の上下端部に進出する。矩形開口部９３の上下は遮光板７１及び横遮光部７５で遮光されるので、その分視野枠は上下方向に狭くなる。この状態では視野枠の縦横比が約１：３となり、パノラマ用の視野枠になる。
【００５２】
ハイビジョン位置（Ｈ）からパノラマ位置（Ｐ）でクリックストップされるまでの撮影画面切換ダイヤル３３の回動量は、ハイビジョン視野形成位置（中立位置）から横長視野形成位置への第１Ｌ字遮光部材５５及び第２Ｌ字遮光部材６１の移動量よりも多い。従って図１７では、シーソ部材８０を介して該遮光部材５５、６１に結合されている切換レバー９６のばね掛け突起９８は図示位置より下方への回動が規制されており、レバー駆動ばね１１４が若干撓んでばね掛け突起９８を規制方向に押し付けている。
【００５３】
撮影画面切換ダイヤル３３をクラシック位置（Ｃ）あるいはパノラマ位置（Ｐ）からハイビジョン位置（Ｈ）に回動すると、レバー駆動ばね１１４の押し込み力が解消され、切換レバー９６は中立位置保持ばね１１１により中立回動位置に復帰する。これにより視野枠切換機構はハイビジョン用の視野枠に戻る。
【００５４】
以上の動作を簡潔にまとめると、撮影画面切換ダイヤル３３がハイビジョン位置（Ｈ）にあるときは、中立位置保持ばね１１１が切換レバー９６を中立回動位置に保持し、視野枠切換機構はハイビジョン用の視野を形成する。この状態から撮影画面切換ダイヤル３３がクラシック位置（Ｃ）あるいはパノラマ位置（Ｐ）に回動されると、中立位置保持ばね１１１より強いレバー駆動ばね１１４の端部によって、視野枠切換機構がクラシック又はパノラマ用の視野枠を形成する位置まで、切換レバー９６が正逆に回動される。
【００５５】
この視野枠切換機構の操作装置では、視野枠切換機構をユニット１００としてカメラ本体に組み、これを駆動する切換レバー９６と中立位置保持ばね１１１とからなる中立位置保持機構を後から結合し、さらに撮影画面切換ダイヤル３３側の操作装置を別に組み付けている。中立位置保持機構は、ユニット１００の外部から取り付けるので組み立て易く、かつユニット１００とは遊びなく結合されるので遮光部材にずれを生じることなく中立位置を保持できる。また、中立状態においてレバー駆動ばね１１４の曲折端部１１７、１１８はばね掛け突起９８から離間するため、操作装置の組み付け誤差調整用の遊び量を大きくとることができる。よって、ファインダ装置全体の組立性も良い。さらに、レバー駆動ばね１１４は、若干多めに回動されるので、ある程度の組立誤差があっても、遮光部材をクラシック視野形成位置又はパノラマ視野形成位置まで移動させて、これを保持することができる。
【００５６】
中立位置保持ばね１１１及びレバー駆動ばね１１４は共にコイル部を有するトーションばねとしたが、異なる形態も可能である。例えば、撮影画面切換ダイヤル３３の裏面側に、レバー駆動ばね１１４の曲折端部１１７、１１８に相当する一対のばね部材を直接固定してもよい。また、中立位置保持ばね１１１の突起保持部１１２及びレバー保持端部１１３に相当する部分を有するばね部材を、上部カバー１０７から突出させてもよい。
【００５７】
上記実施形態では、横長の標準視野枠（ハイビジョン用視野枠）の横方向に移動する幅狭視野用遮光枠（クラシック用遮光枠）を、ハイビジョン視野形成位置（中立位置）を中心に幅狭視野枠位置（クラシック視野形成位置）と横長視野枠位置（パノラマ視野形成位置）に正逆に駆動させ、標準視野枠の縦方向に移動する横長視野用遮光枠（パノラマ用遮光枠）を、該幅狭視野用遮光枠の中立位置から横長視野枠位置への移動に連動させた。上記実施形態と各視野枠構成部材の縦横比を逆転させることによって、この動作の主従関係を逆にした形態も可能である。この形態においては、横長視野用遮光枠（パノラマ用遮光枠）が中立位置から正逆に動き、該横長視野用遮光枠が中立位置から幅狭視野枠位置（クラシック視野形成位置）に動いたときのみ幅狭視野用遮光枠（クラシック用遮光枠）が従動する。
【００５８】
以上の説明は、ファインダの視野枠切換機構の操作装置に関するものであったが、本願の技術思想は、同様の中立位置を有する回動操作部材の操作装置全般に適用が可能である。例えば、テープの早送りと巻戻し動作をダイヤル状スイッチの正逆回動で行わせるタイプのビデオデッキがある。本発明をこのビデオデッキに適用する形態は以下のようになる。
【００５９】
ビデオデッキ内部に、回動軸となる中心軸部と、この中心軸部からの径方向ピンとを備えた回動スイッチレバーを配置する。この回動スイッチレバーは、中立回動位置と、この中立回動位置からの正逆への回動位置を有しており、中立回動位置はオフ位置、正逆への回動位置へ動いたときに早送り又は巻戻しスイッチがオンになるスイッチ機構を構成している。回動スイッチレバーには、常時は中立回動位置に保持し、中立位置から正逆に回動したとき中立回動位置への復帰力を作用させる第１のトーションばねが設けられる。一方、ビデオデッキ外部に設けたダイヤル部材の軸部は、第２のトーションコイルばねのコイル部を支持していて、該第２のトーションコイルばねの一対のばね端部は、上記の回動スイッチレバーの径方向ピンを挟む位置にある。この一対のばね端部は、互いに接近する方向に付勢されていて、ダイヤル状操作部材はさらに、該一対のばね端部の間隔を、自由状態で回動スイッチレバーの径方向ピンの径よりも大きく保持するストッパ部を備える。そして、第２のトーションコイルばねは、第１のトーションコイルばねより強く設定される。
このようにダイヤル式の操作スイッチを構成した場合、常態では回動スイッチレバーは中立位置に保持され、ダイヤル部材を正逆に回動したときにテープが早送り又は巻戻しされる操作装置を、誤作動のおそれなく簡単に組み立てることができる。
【００６０】
【発明の効果】
以上のように本発明によれば、組み立て易く、遮光部材の動作ずれのおそれのないファインダの視野枠切換機構の操作装置を提供することができる。また、組み立て易く、かつ中立位置及び正逆の回動位置を確実に得ることが可能な、中立位置を有する回動操作部材の操作装置を得ることができる。
【図面の簡単な説明】
【図１】本発明によるファインダの視野枠切換機構の操作装置を適用するカメラの、撮影レンズ収納状態の正面図である。
【図２】同カメラの撮影可能状態の正面図である。
【図３】同カメラの撮影可能状態の平面図である。
【図４】同カメラの背面図である。
【図５】同カメラの撮影可能状態の側面図である。
【図６】ファインダの視野枠切換機構の一実施形態を示す分解斜視図である。
【図７】ハイビジョン（標準）視野枠を形成しているときのファインダ視野枠切換機構を図６の矢印α方向から見て示す図である。
【図８】図７の視野枠切換機構がクラシック（幅狭）視野を形成した状態を示す図である。
【図９】図７の視野枠切換機構がパノラマ（横長）視野を形成した状態を示す図である。
【図１０】ファインダ視野枠切換機構の組立状態の斜視図である。
【図１１】ファインダ光学系への視野枠切換機構の装着位置を示す斜視図である。
【図１２】撮影画面切換ダイヤルがハイビジョン（Ｈ）位置にあるときの、本発明によるファインダの視野枠切換機構の操作装置をカメラの背面側から見て示す図である。
【図１３】同ファインダの視野枠切換機構の操作装置の要部を表す平面図である。
【図１４】図１３の矢印XIV方向から見た、ファインダの視野枠切換機構の操作装置の正面図である。
【図１５】図１３の矢印XV方向から見た、切換レバーおよび中立位置保持ばねの係合状態を表す側面図である。
【図１６】撮影画面切換ダイヤルがクラシック（Ｃ）位置にあるときのファインダの視野枠切換機構の操作装置を示す背面図である。
【図１７】撮影画面切換ダイヤルがパノラマ（Ｐ）位置にあるときのファインダの視野枠切換機構の操作装置を示す背面図である。
【符号の説明】
１１  カメラボディ
３３  撮影画面切換ダイヤル
４１  親板
９３  矩形開口部（ハイビジョン用視野枠）
５５  第１Ｌ字遮光部材
６１  第２Ｌ字遮光部材
６６  揺動カム
７１  横遮光板
７３  枠状遮光板
８０  シーソ部材
８５  押え板
９６  切換レバー
９６ａ  中心軸部
９６ｂ  接続部
９８  ばね掛け突起（偏心軸部）
１００  視野枠切換ユニット（視野枠切換機構）
１０１  ファインダ光学系支持部
１０９  ストッパ部
１１０  固定突起
１１１  中立位置保持ばね
１１４  レバー駆動ばね
１２０  クリック機構
【図１】
0003752037.tif 000002
【図２】
0003752037.tif 000003
【図３】
0003752037.tif 000004
【図４】
0003752037.tif 000005
【図５】
0003752037.tif 000006
【図６】
0003752037.tif 000007
【図７】
0003752037.tif 000008
【図８】
0003752037.tif 000009
【図９】
0003752037.tif 000010
【図１０】
0003752037.tif 000011
【図１１】
0003752037.tif 000012
【図１２】
0003752037.tif 000013
【図１３】
0003752037.tif 000014
【図１４】
0003752037.tif 000015
【図１５】
0003752037.tif 000016
【図１６】
0003752037.tif 000017
【図１７】
0003752037.tif 000018